(57)【要約】【課題】  部品点数の増加を招くことなく簡素な構成で混合促進を図ることができるとともに、液状体の吐出形態が視覚的にも斬新であり、試しに少量を吐出させることで混合状態が容易に確認可能な２剤混合吐出容器を提供する。【解決手段】  頂壁中央部から上方付勢されて起立するステム２を有し、異種液状体を収納され、かつ左右一対として緊縛されたエアゾール缶１，１を、保持筒１１の下部内へ嵌着させると共に、該保持筒上部内へ、横長通路を有する横長中空箱３３の左右から脚筒３４，３４を垂下すると共に、左右方向中間部からノズル部材３５を前方突出するヘッド部材３１をステムの上部外面へ脚筒を嵌合させて上下動自在に、かつヘッド部材下降によりノズル部材３５から混合液状体が噴出可能に装着させた２剤混合吐出容器において、ノズル部材３５内周面に螺旋状の凹溝３６が形成された混合撹拌部を設けた。【選択図】  図１
2010126228.tif 000002
【特許請求の範囲】
【請求項１】
押下げによって液状体を吐出可能な一対のステムへ装着したヘッド部材からノズル部材1を前方突出した２剤混合吐出機構において、
前記ノズル部材内周面に、液状体を混合撹拌するための凸凹からなる混合撹拌部を設けたことを特徴とする２剤混合吐出機構。
【請求項２】
前記混合撹拌部は螺旋状の凹溝からなることを特徴とする請求項1記載の２剤混合吐出機構。
【請求項３】
前記混合撹拌部は前記ノズル部材の前後方向中間部に形成された吐出方向へ傾斜する左右一対の突条からなることを特徴とする請求項1記載の２剤混合吐出機構。
【請求項４】
頂壁中央部から上方付勢されて起立するステム２を有し、異種液状体を収納され、かつ左右一対として緊縛されたエアゾール缶１，１を、保持筒１１の下部内へ嵌着させると共に、該保持筒上部内へ、横長通路を有する横長中空箱３３の左右から脚筒３４，３４を垂下すると共に、左右方向中間部からノズル部材３５を前方突出するヘッド部材３１をステムの上部外面へ脚筒を嵌合させて上下動自在に、かつヘッド部材下降によりノズル部材３５から混合液状体が噴出可能に装着させた２剤混合吐出容器において、
前記ノズル部材３５内周面に螺旋状の凹溝３６が形成された混合撹拌部を設けたことを特徴とする２剤混合吐出容器。
【請求項５】
前記ノズル部材を前後に２分割して、前側の第１ノズル部３５ａを後側の第２ノズル部３５ｂへ嵌合可能に設けるとともに、前側の第1ノズル部に前記混合撹拌部を設けたことを特徴とする請求項１、２記載の２剤混合吐出機構又は請求項４記載の２剤混合吐出容器。
【請求項６】
前記後側の第２ノズル部３５ｂ内に、該第２ノズル部内を左右に仕切る仕切壁４０を設けたことを特徴とする請求項５記載の２剤混合吐出機構又は２剤混合吐出容器。
【発明の詳細な説明】
【技術分野】
【０００１】
本発明は、毛染め等の異種液体を混合して吐出させる２剤混合吐出機構及び２剤混合吐出容器に関する。
【背景技術】
【０００２】
異種液体を収納させたエアゾール缶を左右一対として緊縛し、これ等両缶上部を保持筒下部内へ嵌着させ、又横長中空箱の左右両部から脚筒を垂下し、かつ横長中空箱中間部からノズルを前方突出するヘッド部材を設けて上記保持筒上部内へ嵌合させ、両脚筒を上記エアゾール缶頂壁から上方付勢されて起立するステムの上部へ嵌合させて、ヘッド部材押下げにより両ステムが押下げられて、両エアゾール缶内液体がステムおよびヘッド部材内を通ってノズルから混合して噴出するよう設けた二連エアゾール式混合容器が知られている(特許文献１)。
【特許文献１】特開平１１−３３４７６７号公報
【発明の開示】
【発明が解決しようとする課題】
【０００３】
しかしながら特許文献１記載の発明では、ノズル基部内が仕切板によって左右に区分され、左右それぞれのステムから流出する異種内容物はそれぞれノズル基部の左右両部内に流入した後、ノズル先端側の１つの流路内へ流入するため、例えば、クリーム状等内容物の粘度が高い場合には、２剤の混合が困難になり易く、使用者に不安感を与えるおそれがあった。そこでノズル内にスクリュー等の混合用部品を設けることで混合促進を図ることが提案されているが、混合の程度において不十分であった。
【０００４】
本発明の目的は、部品点数の増加を招くことなく簡素な構成で混合促進を図ることができるとともに、液状体の吐出形態が視覚的にも斬新であり、試しに少量を吐出させることで混合状態が容易に確認可能な２剤混合吐出機構及び２剤混合吐出容器を提供することにある。
【課題を解決するための手段】
【０００５】
本発明は、押下げによって液状体を吐出可能な一対のステムへ装着したヘッド部材からノズル部材1を前方突出した２剤混合吐出機構において、
前記ノズル部材内周面に、液状体を混合撹拌するための凸凹からなる混合撹拌部を設けたことを特徴とする。
【０００６】
また、本発明は、前記混合撹拌部は螺旋状の凹溝からなることを特徴とする。
【０００７】
さらに、本発明は、前記混合撹拌部は前記ノズル部材の前後方向中間部に形成された吐出方向へ傾斜する左右一対の突条からなることを特徴とする。
【０００８】
さらに、本発明は、壁中央部から上方付勢されて起立するステム２を有し、異種液状体を収納され、かつ左右一対として緊縛されたエアゾール缶１，１を、保持筒１１の下部内へ嵌着させると共に、該保持筒上部内へ、横長通路を有する横長中空箱３３の左右から脚筒３４，３４を垂下すると共に、左右方向中間部からノズル部材３５を前方突出するヘッド部材３１をステムの上部外面へ脚筒を嵌合させて上下動自在に、かつヘッド部材下降によりノズル部材３５から混合液状体が噴出可能に装着させた２剤混合吐出容器において、
前記ノズル部材３５内周面に螺旋状の凹溝３６が形成された混合撹拌部を設けたことを特徴とする。
【０００９】
さらに、本発明は、前記ノズル部材を前後に２分割して、前側の第１ノズル部３５ａを後側の第２ノズル部３５ｂへ嵌合可能に設けるとともに、前側の第1ノズル部に前記混合撹拌部を設けたことを特徴とする。
【００１０】
さらに、本発明は、前記後側の第２ノズル部３５ｂ内に、該第２ノズル部内を左右に仕切る仕切壁４０を設けたことを特徴とする。
【発明の効果】
【００１１】
本発明は、ノズル内周面に凸凹からなる混合撹拌部を設けたので、ノズルの混合撹拌部内へ流入した異種液状体は混合撹拌部によって回転力を付与されることで混合され、したがって、液状体がクリーム状の高粘度であっても良好に混合される。
【００１２】
また、本発明は、混合撹拌部は螺旋状の凹溝または吐出方向へ傾斜する突条からなるため、液状体が高粘度の場合にはマーブル調のスクリュー状を呈するため、視覚的にも斬新であり、染毛剤等であれば、ブラシに取り出した時点で混合状態が確認できるため、使用時における染毛効果に対する不安感を和らげることができる。
【発明を実施するための最良の形態】
【００１３】
以下、本発明を、図面に示す実施の形態を参照しながら説明する。なお、説明の便宜上、図面において左方向を前方とする。
１は周知のエアゾール缶で、その頂壁中央部を貫通させてステム２が上方付勢させて起立させてあり、付勢に抗して該ステムを押下げすると、ステム下端に設けられた吐出弁が開いて缶内液状体がステム内を通って噴出し、ステムが上方へ弾性復帰すると吐出弁が閉じ、液状体噴出も停止する。そのエアゾール缶は左右一対とし、それぞれ他方に対して異る液状体を収納させている。尚異る液状体とは色だけ変えたものを含むものとする。
【００１４】
上記両エアゾール缶は左右一対として連結筒３内面へ緊密に嵌合され、緊縛されている。
【００１５】
１１は保持筒で、該保持筒下部を上記緊縛された一対のエアゾール缶上部へ嵌着させている。該保持筒は、その筒部上端に付設した内向きのフランジ１２内周から内筒１４を垂下して内外二重筒に形成し、かつその内筒下端の左右方向中間部を連続させて仕切壁１５としている。又上記二重筒部分上部のうち、左右方向中間部は上面および前後方向開放の凹部１６，１６としている。
【００１６】
３１は、横長通路３２を有する横長中空箱３３の左右両部下面から脚筒３４，３４を垂下し、かつ横長中空箱３３の左右方向中間部からノズル部材３５を前方突出するヘッド部材で、上記脚筒３４，３４を既述ステム２，２の上部外面へ嵌合させて、保持筒１１の上部内へ上下動可能に嵌合させている。脚筒３４はその下部内面に内向きフランジ３６を有し、該フランジ下方の脚筒部分内へステム２，２上部を嵌合させている。
【００１７】
ノズル部材３５は第１ノズル部３５ａと第２ノズル部３５ｂとから構成されていて、第２ノズル部３５ｂの前端部外面に第１ノズル部３５ａの後端部が嵌合されている。第２ノズル部３５ｂ内には、該第２ノズル部３５ｂを左右に仕切る仕切壁４０が設けられている。一方、第１ノズル部３５ａ全長の内周面には凹溝３６が螺旋状に形成されている。
【００１８】
凹溝３６は第２ノズル部３５ｂから第１ノズル部３５ａ内へ流入した2剤の液状体に回転力を付与して混合させつつノズル部材３５先端から吐出させることができるように形成されている。この凹溝３６は液状体を混合撹拌するための凸凹からなる混合撹拌部を構成する。
【００１９】
上記ではノズル部材３５は第１ノズル部３５ａと第２ノズル部３５ｂとの前後両部に２分割されているが、これに限定されることなく、これら第１ノズル部３５ａと第２ノズル部３５ｂとを一体に形成することも可能である。
【００２０】
また、上記では、混合撹拌部は螺旋状の凹溝３６から構成されているが、これに限らず第1ノズル３５ａの全長にわたって形成された螺旋状の突条で構成することも可能である。さらにはこの第１ノズル部３５ａの全長にわたる螺旋状の突条を、その一部を残して切除することで混合撹拌部を構成することも可能である。
【００２１】
すなわち、図３に示すようにノズル部材３５の前後方向中間部に位置する突条部分３７を残して残余の突条部分を切除し、該突条部分３７で混合撹拌部を構成する。かくしてこの突条部分３７は、ノズル部材３５の前後方向中間部に形成された吐出方向へ傾斜する左右一対の突条を構成する。
【００２２】
突条部分３７をノズル部材３５の前後方向中間部分に位置させ第１ノズル部３５ａの先端部に位置させない理由は、該突条部分３７で液状体に回転力を付与した後、慣性力で２剤を混合させるための助走距離が必要とされることにある。
【００２３】
次に作用について説明する。使用するにはヘッド部材３１を押下げればよく、するとフランジ３６，３６を介してステム２，２が押下げられ、これによってステム下端の吐出弁が開いてエアゾール缶内液状体がステム２、脚筒３４，３４を介して第２ノズル部３５ｂ内へ流入する。
【００２４】
その際、液状体のうち一剤は仕切壁４０で仕切られた左右一方の区画部内に、他の一剤は他方の区画部内に、それぞれ流入する。第２ノズル部３５ｂから第１ノズル部３５ａ内に流入した２剤は、図２に示す例では螺旋状の凹溝３６によって混合撹拌されつつ第１ノズル部３５ａ先端から吐出する。一方、図３に示す例では突条部分３７によって回転力を付与された後、慣性力で混合されつつ第１ノズル部３５ａ先端から吐出する。
【図面の簡単な説明】
【００２５】
【図１】本発明に係る2剤混合吐出容器の断面図である。
【図２】図1の分解斜視図である。
【図３】ノズル部材の変形例を示す断面図である。
【符号の説明】
【００２６】
１  エアゾール缶
２  ステム
１１  保持筒
３３  横長中空箱
３４  脚筒
３５ａ  第1ノズル部
３５ｂ  第2ノズル部
【図１】
2010126228.tif 000003
【図２】
2010126228.tif 000004
【図３】
2010126228.tif 000005